(57)【特許請求の範囲】
【請求項１】
入射光を変調する電気光学パネルと、
前記電気光学パネルの背面に配置され、前記電気光学パネルの背面に光を照射するバックライトと、
前記バックライトの背面に配置され、前記電気光学パネルを駆動する駆動基板と、
前記バックライトの側面および背面に沿って配置され、前記電気光学パネルと前記駆動基板とを互いに接続するフレキシブルプリント基板と
を備え、
前記バックライトは、前記バックライトの側面側から流れてきた空気を外部に誘導するように前記フレキシブルプリント基板と、当該バックライトの側面および背面との間に空隙を形成する凹凸の構造体を有する
表示装置。
【請求項２】
前記構造体は、前記バックライトの側面および背面に形成されている
請求項１に記載の表示装置。
【請求項３】
前記構造体は、複数の帯状の凹部もしくは凸部を含んで構成されている
請求項１に記載の表示装置。
【請求項４】
前記構造体は、前記バックライトの側面側から流れてきた空気を特定の方向に向けて排出する流路を形成する凹凸構造を有している
請求項１に記載の表示装置。
【請求項５】
前記バックライトは、前記構造体の形成された筐体と、前記構造体近傍に配置された光源とを含んで構成されている
請求項１に記載の表示装置。
【発明の詳細な説明】
【技術分野】
【０００１】
本技術は、液晶パネル等の電気光学パネルを備えた表示装置に関する。
【背景技術】
【０００２】
近年、自動車には、液晶パネル等の電気光学パネルが様々な箇所に用いられている。例えば、カーナビゲーション装置の表示部に電気光学パネルが用いられている。最近では、自動車の速度やエンジンの回転数、ガソリンの残量、エンジン冷却水の温度などを表示するインスツルメント・パネル（インパネ）にも電気光学パネルが用いられるようになってきている。
【０００３】
上記の電気光学パネルに対して、映像信号などの種々の信号を駆動基板から供給するために、例えば、電気光学パネルと駆動基板とは、ＦＰＣ（Flexible printed circuits：フレキシブルプリント基板）で接続される（例えば、特許文献１参照）。
【先行技術文献】
【特許文献】
【０００４】
【特許文献１】特開２０１１−１８６０２４号公報
【発明の概要】
【発明が解決しようとする課題】
【０００５】
ところで、電気光学パネルが液晶パネル等の光変調パネルである場合、電気光学パネルの背面に光を照射するバックライトが電気光学パネルの背面に配置される。そして、電気光学パネルやバックライトを駆動する駆動基板がバックライトの背面に配置される。このとき、電気光学パネルと駆動基板とを互いに接続するＦＰＣが、バックライトの側面および背面に沿って延在するので、バックライトの側面および背面の一部は、ＦＰＣによって覆われることになる。
【０００６】
バックライトは、内蔵された光源から発せられる熱によって熱くなる。ところが、上述したように、ＦＰＣがバックライトの側面および背面の一部を覆っていると、その部分に熱がこもりやすくなる。その結果、ＦＰＣで覆われた部分の熱が外部に十分に放散されず、ＦＰＣまでもが熱くなってしまう。特に、ＦＰＣで覆われた部分に、光源が配置されている場合には、ＦＰＣで覆われた部分に熱がこもってしまい、ＦＰＣが過剰に熱くなってしまうという問題があった。
【０００７】
本技術はかかる問題点に鑑みてなされたものであり、その目的は、ＦＰＣが過剰に熱くなるのを防止することの可能な表示装置を提供することにある。
【課題を解決するための手段】
【０００８】
本技術の表示装置は、入射光を変調する電気光学パネルと、電気光学パネルの背面に配置され、電気光学パネルの背面に光を照射するバックライトと、バックライトの背面に配置され、電気光学パネルを駆動する駆動基板とを備えている。この表示装置は、さらに、バックライトの側面および背面に沿って配置され、電気光学パネルと駆動基板とを互いに接続するフレキシブルプリント基板を備えている。バックライトは、バックライトの側面側から流れてきた空気を外部に誘導するようにフレキシブルプリント基板と、当該バックライトの側面および背面との間に空隙を形成する凹凸の構造体を有している。
【０００９】
本技術の表示装置では、フレキシブルプリント基板と、バックライトの側面および背面との間に空隙を形成する凹凸の構造体がバックライトに設けられている。これにより、フレキシブルプリント基板で覆われた部分の熱を、凹凸の構造体を介して外部に放散させることができる。
【発明の効果】
【００１０】
本技術の表示装置によれば、フレキシブルプリント基板で覆われた部分の熱を、凹凸の構造体を介して外部に放散させるようにしたので、フレキシブルプリント基板で覆われた部分に熱がこもり難くなり、フレキシブルプリント基板が過剰に熱くなるのを防止することができる。
【図面の簡単な説明】
【００１１】
【図１】本技術の一実施の形態に係る表示装置の断面構成図である。
【図２】図１のバックライトに形成された凹凸構造体の一例の斜視図である。
【図３】図１のバックライトに形成された凹凸構造体の他の例の斜視図である。
【図４】図１の表示装置の一応用例に係る電子機器の斜視図である。
【図５】図１の表示装置の他の応用例に係るインスツルメント・パネルの正面図である。
【発明を実施するための形態】
【００１２】
以下、発明を実施するための形態について、図面を参照して詳細に説明する。なお、説明は以下の順序で行う。
１．実施の形態
２．変形例
３．応用例
【００１３】
＜１．実施の形態＞
[構成]
まず、本技術の一実施の形態に係る表示装置１について説明する。図１は、表示装置１の断面構成の一例を表したものである。表示装置１は、表示パネル１０と、表示パネル１０の背面に配置されたバックライト２０と、表示パネル１０およびバックライト２０を駆動する駆動基板３０とを備えている。表示装置１は、さらに、表示パネル１０と駆動基板３０とを互いに電気的に接続するＦＰＣ（Flexible printed circuits：フレキシブルプリント基板）４０と、バックライト２０と駆動基板３０とを互いに電気的に接続するＦＰＣ５０とを備えている。表示パネル１０は、例えば、図示しない粘着層または接着層でバックライト２０の上面に固定されており、駆動基板３０は、例えば、図示しないボルトなどでバックライト２０の背面に固定されている。ＦＰＣ４０およびＦＰＣ５０は、例えば、必要に応じて、図示しない粘着層または接着層でバックライト２０の背面に固定されている。なお、表示パネル１０が本技術の「電気光学パネル」の一具体例に相当する。
【００１４】
表示パネル１０は、映像を表示するためのものであり、例えば、４辺を有する方形状となっている。表示パネル１０は、例えば、映像信号に応じて各画素が駆動されることにより、背面側から入射した光を変調し、画像光を上面から出力する透過型の表示パネルである。表示パネル１０は、例えば、液晶層を一対の透明基板で挟み込んだ構造となっている。表示パネル１０の上面のうち各画素の配置された領域が映像表示面となっており、表示パネル１０の上面のうち外縁に相当する領域（具体的には映像表示面の周縁）が映像非表示領域であるフレーム領域となっている。表示パネル１０は、例えば、図示しないが、バックライト２０側から順に、偏光子、透明基板、画素電極、配向膜、液晶層、配向膜、共通電極、カラーフィルタ、透明基板および偏光子を有している。
【００１５】
バックライト２０は、表示パネル１０の背面に光を照射するものである。バックライト２０は、エッジライト方式の照明装置であり、例えば、導光板２１と、導光板２１の端部に配置された光源２２と、光源２２を支持する支持体２３と、導光板２１の上面に配置された種々の光学フィルム２４とを有している。バックライト２０は、さらに、導光板２１等を外部からの衝撃から保護する筐体２５を有している。筐体２５は、表示パネル１０の映像表示面に対応して開口を有するとともに表示パネル１０側に配置された上板部２５Ａと、導光板２１等を支持する下板部２５Ｂと、上板部２５Ａおよび下板部２５Ｂのそれぞれの外縁に沿って立設された壁部２５Ｃとを有している。筐体２５は、下板部２５Ｂおよび壁部２５Ｃの表面に、凹凸構造体２６を有している。なお、凹凸構造体２６については、後に詳述するものとする。
【００１６】
駆動基板３０は、表示パネル１０およびバックライト２０を駆動するものである。駆動基板３０は、例えば、ＦＰＣ４０およびＦＰＣ５０の端部を接続するコネクタ３１を有している。コネクタ３１は、駆動基板３０のうちバックライト２０側の表面に形成されている。ＦＰＣ４０は、表示パネル１０と駆動基板３０とを互いに電気的に接続するものである。ＦＰＣ４０の一端が表示パネル１０の端部に電気的に接続されており、ＦＰＣ４０の他端がコネクタ３１に電気的に接続されている。ＦＰＣ４０は、バックライト２０の側面（壁部２５Ｃ）および背面（下板部２５Ｂ）に沿って配置されており、バックライト２０の側面および背面の一部がＦＰＣ４０によって覆われている。バックライト２０のうちＦＰＣ４０で覆われている部分の近傍には、光源２２が配置されている。ＦＰＣ４０と、バックライト２０の側面および背面との間には、後述の凹凸構造体２６によって空隙６０が形成されている。従って、ＦＰＣ４０は、バックライト２０の側面および背面には密着しておらず、空隙６０によって空気の流路が形成されている。ＦＰＣ５０は、バックライト２０と駆動基板３０とを互いに電気的に接続するものである。ＦＰＣ５０の一端が光源２２に電気的に接続されており、ＦＰＣ５０の他端がコネクタ３１に接続されている。ＦＰＣ５０は、例えば、バックライト２０の筐体２５に設けられた開口を介してバックライト２０の外部に延在しており、さらに、その開口からコネクタ３１まで延在している。
【００１７】
次に、凹凸構造体２６について説明する。図２は、凹凸構造体２６を斜視的に表したものである。凹凸構造体２６は、ＦＰＣ４０と、バックライト２０の側面（壁部２５Ｃ）および背面（下板部２５Ｂ）との間に空隙６０を形成するものである。凹凸構造体２６は、バックライト２０の側面（壁部２５Ｃ）および背面（下板部２５Ｂ）に形成されており、複数の帯状の凹部もしくは凸部を含んで構成されている。具体的には、図２に示したように、凹凸構造体２６は、バックライト２０の側面（壁部２５Ｃ）から背面（下板部２５Ｂ）にかけて延在するテーパ−状の複数の凹部２６Ａを有している。凹凸構造体２６は、さらに、凹部２６Ａを、凹部２６Ａの配列方向から挟み込むとともに、バックライト２０の側面（壁部２５Ｃ）から背面（下板部２５Ｂ）にかけて延在する帯状の複数の凸部２６Ｂを有している。凹凸構造体２６は、さらに、バックライト２０の背面（下板部２５Ｂ）に、帯状の複数の凸部２６Ｃを有している。複数の凸部２６Ｃは、凹部２６Ａを介してバックライト２０の側面（壁部２５Ｃ）側から流れてきた空気を外部に誘導するように形成されている。各凸部２６Ｃは、例えば、図２に示したように、凹部２６Ａの延在方向と平行な方向に延在する帯状の凸形状を含んで構成されている。つまり、複数の凸部２６Ｃは、所定の間隙を介して並列配置されている。これにより、複数の凸部２６Ｃは、バックライト２０の側面（壁部２５Ｃ）側から流れてきた空気を、バックライト２０の背面（下板部２５Ｂ）のうち互いに隣接する２つの凸部２６Ｃの間隙を介して外部に排出するようなっている。
【００１８】
［効果］
次に、表示装置１の効果について説明する。表示装置１では、ＦＰＣ４０と、バックライト２０の側面（壁部２５Ｃ）および背面（下板部２５Ｂ）との間に空隙６０を形成する凹凸構造体２６がバックライト２０に設けられている。これにより、ＦＰＣ４０で覆われた部分の熱を、凹凸構造体２６を介して外部に放散させることができるので、ＦＰＣ４０で覆われた部分に熱がこもり難くなり、ＦＰＣ４０が過剰に熱くなるのを防止することができる。その結果、ＦＰＣ４０の信頼性を向上させることができる。
【００１９】
＜２．変形例＞
[第１変形例]
例えば、上記実施の形態において、凹凸構造体２６は、バックライト２０の側面（壁部２５Ｃ）側から流れてきた空気を、特定の方向に向けて排出する流路を形成する凹凸構造を備えていてもよい。凹凸構造体２６は、例えば、図３に示したように、バックライト２０の側面（壁部２５Ｃ）側から流れてきた空気を、下板部２５Ｂの特定の端部２５Ｄに向けて排出する流路６１を形成する凹凸構造を備えている。流路６１を形成する凹凸構造は、例えば、複数の凹部２６Ａと、複数の凸部２６Ｂと、複数の凸部２６Ｃと、複数の凸部２６Ｄと、１つの凸部２６Ｅとにより構成されている。
【００２０】
複数の凸部２６Ｄおよび１つの凸部２６Ｅは、下板部２５Ｂに形成されている。複数の凸部２６Ｄは、並列配置された複数の凸部２６Ｃの隙間を介して流れてきた空気の流れを端部２５Ｄの方向に誘導する（曲げる）ように形成されている。各凸部２６Ｄは、例えば、一端が凸部２６Ｃの端部に隣接して形成されるとともに、他端が端部２５Ｄの方向を向いて形成されたＣ字状もしくはＬ字状の凸形状を含んで構成されている。つまり、複数の凸部２６Ｄは、所定の間隙を介して並列配置されている。凸部２６Ｅは、並列配置された複数の凸部２６Ｄの隙間を介して流れてきた空気を１本の流路にまとめるとともに、端部２５Ｄの方向に誘導するように形成されている。凸部２６Ｅは、例えば、下板部２５Ｂのうち端部２５Ｄを含む辺とは反対側の辺から、端部２５Ｄに延在する帯状の凸形状を含んで構成されている。
【００２１】
本変形例では、バックライト２０の側面（壁部２５Ｃ）側から流れてきた空気が特定の端部２５Ｄに向けて排出される。ここで、例えば、端部２５Ｄまたはその近傍に、図示しない扇風機（ファン）を設けた場合には、バックライト２０によって熱せられた空気を極めて効率的に外部に排出することができる。その結果、ＦＰＣ４０が過剰に熱くなるのを防止することができ、ＦＰＣ４０の信頼性をより一層、向上させることができる。
【００２２】
[第２変形例]
また、上記実施の形態では、駆動基板３０は、表示パネル１０およびバックライト２０の双方を駆動するようになっていたが、駆動基板３０が表示パネル１０だけを駆動するようになっており、バックライト２０を駆動する駆動基板が駆動基板３０とは別体で設けられていてもよい。
【００２３】
[第３変形例]
また、上記実施の形態では、光源２２がバックライト２０の一端だけに設けられている場合が例示されていたが、上記とは異なる場所にも設けられていてもよい。また、上記実施の形態では、バックライト２０は、エッジライト方式の照明装置となっていたが、光源の直上に各種光学フィルムが配置された直下方式の照明装置となっていてもよい。
【００２４】
＜３．応用例＞
[第１応用例]
次に、上記実施の形態およびその変形例に係る表示装置１の一応用例について説明する。図４は、本応用例に係る電子機器１００の概略構成の一例を表す斜視図である。電子機器１００は、携帯電話機であり、例えば、図４に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００２５】
表示装置１１３は、上記実施の形態およびその変形例に係る表示装置１と同一の構成を備えている。これにより、表示装置１１３において、バックライト２０の熱がＦＰＣ４０で覆われた部分にこもり、ＦＰＣ４０が過剰に加熱されるのを防ぐことができる。
【００２６】
[第２応用例]
続いて、上記実施の形態およびその変形例に係る表示装置１の他の応用例について説明する。図５は、本応用例に係るインスツルメント・パネル２００の概略構成の一例を表す正面図である。インスツルメント・パネル２００は、自動車の運転席の前面に設けられるものであり、表示装置２１０を備えている。表示装置２１０は、自動車の運転に必要な種々の情報を表示装置２１０の表示画面２１０Ａに表示するようになっている。表示装置２１０は、例えば、図５に示したように、自動車の速度２１１や、エンジンの回転数２１２、右折２１３、左折２１４、およびガソリンの残量やエンジン冷却水の温度などの各種情報２１５を表示するようになっている。
【００２７】
表示装置２１０は、上記実施の形態およびその変形例に係る表示装置１と同一の構成を備えている。これにより、表示装置１１３において、バックライト２０の熱がＦＰＣ４０で覆われた部分にこもり、ＦＰＣ４０が過剰に加熱されるのを防ぐことができる。
【００２８】
なお、上記実施の形態およびその変形例に係る表示装置１を応用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００２９】
また、例えば、本技術は以下のような構成を取ることができる。
（１）
入射光を変調する電気光学パネルと、
前記電気光学パネルの背面に配置され、前記電気光学パネルの背面に光を照射するバックライトと、
前記バックライトの背面に配置され、前記電気光学パネルを駆動する駆動基板と、
前記バックライトの側面および背面に沿って配置され、前記電気光学パネルと前記駆動基板とを互いに接続するフレキシブルプリント基板と
を備え、
前記バックライトは、前記フレキシブルプリント基板と、当該バックライトの側面および背面との間に空隙を形成する凹凸の構造体を有する
表示装置。
（２）
前記構造体は、前記バックライトの側面および背面に形成されている
（１）に記載の表示装置。
（３）
前記構造体は、複数の帯状の凹部もしくは凸部を含んで構成されている
（１）または（２）に記載の表示装置。
（４）
前記構造体は、前記バックライトの側面側から流れてきた空気を外部に誘導するように形成されている。
（１）ないし（３）のいずれか１つに記載の表示装置。
（５）
前記構造体は、前記バックライトの側面側から流れてきた空気を特定の方向に向けて排出する流路を形成する凹凸構造を有している
（４）に記載の表示装置。
（６）
前記バックライトは、前記構造体の形成された筐体と、前記構造体近傍に配置された光源とを含んで構成されている
（１）ないし（３）のいずれか１つに記載の表示装置。
【符号の説明】
【００３０】
１…表示装置、１０…表示パネル、２０…バックライト、２１…導光板、２２…光源、２３…支持体、２４…光学フィルム、２５…筐体、２５Ａ…上板部、２５Ｂ…下板部、２５Ｃ…壁部、２５Ｄ…端部、２６…凹凸構造体、２６Ａ…凹部、２６Ｂ，２６Ｃ，２６Ｄ，２６Ｅ…凸部、３０…駆動基板、３１…コネクタ、４０，５０…ＦＰＣ、６０…空隙、６１…流路、１００…電子機器、１１１…本体部、１１２…表示体部、１１３…表示装置、１１４…表示画面、１１５…操作ボタン、１１６…送話部。
【図１】
0005628136.tif 000002
【図２】
0005628136.tif 000003
【図３】
0005628136.tif 000004
【図４】
0005628136.tif 000005
【図５】
0005628136.tif 000006